(57)【要約】  【課題】  収納物を傷つけるようなことなく、確実かつ容易に折り畳むことができる折り畳みコンテナを提供する。  【解決手段】  略矩形状の底板３と、その上に相対する上枠２と、上枠２の両短手辺に対してコンテナ内側に回動可能に連結したあおり板４，４と、上枠２の両長手辺に対してコンテナ内側に回動可能に連結した側板５，５と、一端を底板３に対してコンテナ内側に回動可能に連結し、他端を側板の上下方向中間部に回動可能に連結したヒンジ板６，６・・とを備え、底板３の両長手辺側の上面３ａ縁部に、底板３の上面３ａよりも上方に位置して、側板５の下端部５ａが載る突面部７を設けて折り畳みコンテナ１を構成する。【選択図】  図１
2005170499.tif 000002
【特許請求の範囲】
【請求項１】
略矩形状の底板と、その上に相対する上枠と、上枠の両短手辺に対してコンテナ内側に回動可能に連結したあおり板と、上枠の両長手辺に対してコンテナ内側に回動可能に連結した側板と、一端を底板に対してコンテナ内側に回動可能に連結し、他端を側板の上下方向中間部に回動可能に連結したヒンジ板とを備えた折り畳みコンテナにおいて、
底板の両長手辺側の上面縁部に、底板の上面よりも上方に位置して、側板の下端部が載る突面部を設けたことを特徴とする折り畳みコンテナ。
【請求項２】
載置部は、底板の長手辺に沿い連続又は断続して底板上面より突出したリブである請求項１に記載の折り畳みコンテナ。
【発明の詳細な説明】
【技術分野】
【０００１】
本発明は、折り畳みコンテナに関し、特に、柔らかい物品やフィルム袋等に充填された液体状乃至ゲル状の物品を収納するのに適した折り畳みコンテナに関する。
【背景技術】
【０００２】
従来から、折り畳みコンテナとしては、上枠（フレーム）及び底板と、上枠及び底板に対してそれぞれ回動可能に取付けられ、かつ、連結部にて内側に折曲がるように連結された上下一対の側板と、上枠に対して回動可能に取付けられたあおり板とから構成されたものが知られている（例えば、特許文献１参照）。
【０００３】
【特許文献１】特公平７−５１３３号公報
【発明の開示】
【発明が解決しようとする課題】
【０００４】
このような折り畳みコンテナは、物品を収納した状態でコンテナ上方から荷重が加わると、側板の連結部がコンテナの内方あるいは外方に屈曲した状態となり、屈曲した連結部が収納物品に当たって表面を傷つけたり、変形させたりしてしまう問題があった。
これを解決すべく図８（Ａ）に示されるように、上端を上枠１１に回動自在に連結した側板１３，１３の外面に、ヒンジ板１４，１４・・の上端を軸支し、下端を底板１５に軸支して折り畳みコンテナを構成した場合、コンテナを折り畳む際に、両あおり板１２，１２をコンテナ内方へ回動し、両側板１３，１３の一方を折り畳むと、これと連結した上枠１１が当該一方の側板１３に引かれて、傾斜する。同図（Ｂ）に示されるように、そのため、他方の側板１３の下端部１３ａと底板１５の上面１５ａとが干渉しあい、当該他方の側板１３を折り畳めなくなるという問題がある。
【０００５】
本発明は、このような問題点に鑑み、折り畳みコンテナにおいて、収納物を傷つけることなく、確実かつ容易に折り畳むことができるようにすることを課題とする。
【課題を解決するための手段】
【０００６】
コンテナを折り畳む際に前記他方の側板が畳めなくなる原因は、上枠との連結部を支点として回動する当該側板下端部の軌道が、底板と交差することにある。そこで、略矩形状の底板と、その上に相対する上枠と、上枠の両短手辺に対してコンテナ内側に回動可能に連結したあおり板と、上枠の両長手辺に対してコンテナ内側に回動可能に連結した側板と、一端を底板に対してコンテナ内側に回動可能に連結し、他端を側板の上下方向中間部に回動可能に連結したヒンジ板とを備えた本発明の折り畳みコンテナは、底板の両長手辺側の上面縁部に、底板の上面よりも上方に位置して側板の下端部が載る突面部を設け、側板を畳むときにその下端部が、底板と干渉することがないように構成した。
【０００７】
突面部は、底板の上面よりも上方に位置して側板の下端部を支持する部位であり、側板を畳むときに底板と干渉しあわない適宜な高さに設けることができる。
突面部は、底板の長手辺に沿い連続又は断続して底板上面より突出したリブとして形成することができる。
【発明を実施するための最良の形態】
【０００８】
以下、本発明の一実施形態を図面を用いて説明する。
図１は本発明の一実施形態の折り畳みコンテナの組立状態を示す斜視図、図２は図１の折り畳みコンテナの組立状態における側部断面図、図３は図１の折り畳みコンテナの折り畳み状態における側部断面図である。
【０００９】
折り畳みコンテナ１は、上枠２及び底板３と、上枠２の短手辺に回動可能に連結した一対のあおり板４，４と、上枠２の長手辺に回動可能に連結した一対の側板５，５と、一端を底板３の側板５側に回動可能に連結し、他端を側板５外面の上下方向中間部に回動可能に連結したヒンジ板６，６・・とを有して構成されている。
【００１０】
上枠２は、下方に開口した断面コ字形の枠を平面視矩形に連ねて形成してある。上枠２の両短手辺には、あおり板４の上端を軸４ａにより支持して、あおり板４をコンテナ内側へ回動し得るように連結してあり、両長手辺には、側板５の上端を軸５ｂにより支持して側板５をコンテナ内側へ回動し得るように連結してある。
【００１１】
底板３は、周縁３ｃを上方へ適宜な高さ立上げて、平面視略矩形状に形成してある。底板３の両長手辺側縁部の上面３ａには、ヒンジ板６の下端部を回動自在に支持する連結部８を周縁３ｃに面して複数突設させてあり、さらにその内側には、上面３ａよりも若干上方に突出していてコンテナ組立状態で、側板５の下端部５ａが当接する突面部７をコンテナの両短手辺間に亘って筋状に設けてある。前記各連結部８には、ヒンジ板６の下端部を軸６ａで回動自在に連結してある。また、底板３の両短手辺側縁部の上面３ａには、コンテナ組立状態で、あおり板４の下端部４ｂを係合して位置固定をする突起３ｂを複数設けてある。
【００１２】
あおり板４，４は、その上端を上枠２に回動自在に連結し、コンテナ組立状態では、その下端部４ｂを底板３の上面３ａに当接させて底板３上に垂直に立ち上がり、かつその両側端部４ｃ，４ｃを側板５、５の内面にそれぞれ当接させてコンテナの短手側面部を閉塞し、コンテナ折り畳み状態では、軸４ａを支点としてコンテナ内側へ略直角に回動して底板３上に折れ重なるように設けてある。
【００１３】
側板５，５は、その上端部を上枠２に軸５ｂで回動自在に連結し、その外面５ｃの短手方向中間部付近に設けた各連結部９に前記ヒンジ板６の上端部を軸６ｂで回動自在に連結して取り付けてある。側板５，５は、コンテナ組立状態では、その下端部５ａを突面部７上に当接させ、かつ、その内面間にあおり板４，４を圧入させてコンテナの長手側面部を閉塞し、コンテナ折り畳み状態では、軸６ａ、６ｂで回動するヒンジ板６とともに軸５ｂを支点としてコンテナ内側に回動して底板３上にヒンジ板６と重なって略水平に折れ重なるように設けてある。
【００１４】
なお、あおり板４及び側板５の下端部４ｂ，５ａの形状は、特に限定するものではないが、図示されるように外方に上方傾斜した形状にすると組立及び折り畳みしやすいものとなる。
また、本実施形態では、片側に３枚のヒンジ板６を設けてあるが、これに限定するものではなく、適宜な枚数、幅のものを用いることができる。各ヒンジ板６の高さは側板５の略１／２の高さに形成される。
【００１５】
折り畳みコンテナ１の組立は、上枠２を上方に持ち上げ、両側板５を外側に押圧して略垂直に立ち上げ、下端部５ａを突面部７上に載置させた後、両あおり板４を外側に突起３ｂに嵌合するように押圧して行なうことができる。
【００１６】
また、折り畳みコンテナ１の折り畳みは、あおり板４，４の下部を内側に押圧して回動させた後、図３に示すように、側板５，５の下部を内側に押圧して回動させることにより行なうことができる。
このとき、側板５，５の下端部５ａ，５ａは、底板３の上面３ａよりも上方に位置する突面部７上で支持されており、コンテナ内側に畳むときの両側板下端部５ａ，５ａの回動軌道は底板３と交差することはない。このため、図４で示すように、折り畳むとき、側板５の下端部５ａは底板３の上面３ａよりも離れた上方を通過し、一方の側板５を折り畳んでも、他方の側板５が底板３と干渉することはなくスムーズな操作で確実に折り畳みが可能である。
【００１７】
なお、突面部７は、底板３の上面３ａよりも上方に位置し、組立状態で側板５の下端部５ａが載るように形成され、その幅は特に限定するものではないが、側板５を安定して支持できる幅とするのが好ましい。図５に示すように、側板５が当接する突面部７よりも底板３が深くなるように段差状に形成してもよい。図６に示すように、突面部７を、若干高さ突設した筋状のリブとして形成してもよい。また、本実施形態では、突面部７をコンテナの両短手辺間に亘って連続した筋状に設けたが、適宜な間隔で複数個を断続的に設けてもよい。
【００１８】
折り畳みコンテナ１は、組立状態において、上方開拡形状となるように、あおり板４，４及び側板５，５を所定角度に傾斜させて取付けてもよい。例えば、図７に示すように、突面部７の上面から上方にストッパー１０を突設し、側板５を所定角度に傾斜させて支持できるようにする。このように側板５，５がコンテナ開口面から底面に亘ってすぼまり状に傾斜した形態であっても、畳むときの底板３との干渉を避けるため突面部７を設けることが好ましい。
【図面の簡単な説明】
【００１９】
【図１】本発明の一実施形態の折り畳みコンテナ組立状態を示す斜視図である。
【図２】図１の折り畳みコンテナの組立状態における側部断面図である。
【図３】図１の折り畳みコンテナの折り畳み状態における側部断面図である。
【図４】図１の折り畳みコンテナを折り畳む際の側板の動きを示す側部断面図である。
【図５】図１の突面部の一例を示した側部断面図である。
【図６】図１の突面部の他の一例を示した側部断面図である。
【図７】ストッパーを設けた折り畳みコンテナの一例を示した側部断面図である。
【図８】（Ａ）は本発明者が開発した折り畳みコンテナの一例を示した斜視図、（Ｂ）は、（Ａ）の折り畳みコンテナを折り畳む際の側板の動きを示す側部断面図である。
【符号の説明】
【００２０】
１…折り畳みコンテナ  ２…上枠  ３…底板  ３ａ…上面  ３ｂ…突起
３ｃ…周縁  ４…あおり板  ４ａ…軸  ４ｂ…下端部  ４ｃ…側端部  ５…側板  ５ａ  …下端部  ５ｂ…軸  ５ｃ…外面  ６…ヒンジ板  ６ａ、６ｂ…軸
７…突面部  ８…連結部  ９…連結部  １０…ストッパー  １１…上枠
１２…あおり板  １３…側板  １３ａ…下端部  １４…ヒンジ板  １５…底板  １５ａ  …上面
【図１】
2005170499.tif 000003
【図２】
2005170499.tif 000004
【図３】
2005170499.tif 000005
【図４】
2005170499.tif 000006
【図５】
2005170499.tif 000007
【図６】
2005170499.tif 000008
【図７】
2005170499.tif 000009
【図８】
2005170499.tif 000010